(57)【要約】【課題】温水タンクに貯留した水の水抜きをケーシングの左右側面の少なくともいずれかから良好に行うことができる衛生洗浄装置を提供することを目的とする。【解決手段】下方部に水抜き孔を有し、ノズルに供給する洗浄水を貯留するタンクと、前記水抜き孔を塞ぐ水抜き栓と、前記タンクを内蔵し、左右側面の少なくともいずれかに前記水抜き栓を挿通するとともに前記水抜き孔から抜かれた水を外部に排出する開口部と、前記水抜き孔から抜かれた水を受け流し前記開口部に案内する流水ガイドと、を有するケーシングと、を備えたことを特徴とする衛生洗浄装置が提供される。【選択図】図３
2010077596.tif 000002
【特許請求の範囲】
【請求項１】
下方部に水抜き孔を有し、ノズルに供給する洗浄水を貯留するタンクと、
前記水抜き孔を塞ぐ水抜き栓と、
前記タンクを内蔵し、左右側面の少なくともいずれかに前記水抜き栓を挿通するとともに前記水抜き孔から抜かれた水を外部に排出する開口部と、前記水抜き孔から抜かれた水を受け流し前記開口部に案内する流水ガイドと、を有するケーシングと、
を備えたことを特徴とする衛生洗浄装置。
【請求項２】
前記流水ガイドが有する流路は、前記水抜き孔から前記開口部に向かうにつれて狭くされたことを特徴とする請求項１記載の衛生洗浄装置。
【請求項３】
前記ケーシングは、前記タンクを取り付けたケースプレートと、前記ケースプレートを上側から覆うケースカバーと、を有し、
前記ケースプレートおよび前記ケースカバーの左右側面の少なくともいずれかは、互いの傾斜角度が合致し下側に向かうにつれて外側に開くように形成され、
前記ケースプレートの左右側面の前記少なくともいずれかに、前記開口部が設けられたことを特徴とする請求項１または２に記載の衛生洗浄装置。
【発明の詳細な説明】
【技術分野】
【０００１】
本発明の態様は、一般的に、衛生洗浄装置に関し、具体的には、洋式腰掛便器に腰掛けた使用者の「おしり」などを水で洗浄する衛生洗浄装置に関する。
【背景技術】
【０００２】
衛生洗浄装置は、一般的に、局部を洗浄する局部洗浄機能や、洗浄水を温水タンクに貯留して温める熱交換機能や、局部を乾燥する局部乾燥機能や、脱臭を行う脱臭機能などの所定の機能を実行する機能部品を備えている。また、それらの機能部品を収納するケーシングをさらに備えている。このような衛生洗浄装置では、温水タンクに貯留した洗浄水の凍結防止等を目的として、その洗浄水の水抜きを行う必要性が生ずる場合がある。
【０００３】
そこで、温水タンクの水抜きを簡単かつ確実に行うことができる水抜き構造がある（特許文献１）。特許文献１に記載された構造は、ケーシング（本体ケース）に内蔵した温水タンクの横面下部に水抜き穴が配設されているとともに、水抜き穴から排出された温水タンクの水を受け流す導水リブが温水タンクの下方に設けられ、この導水リブ先端の排水口から便器ボウル内へと水抜きされる構造である。この構造によれば、水抜き穴を封止する排水栓を取り外すことで、開放された水抜き穴から排出した水は、本体ケース内に配設された導水リブを介して便器ボウル内に排出される。そのため、温水タンクの水抜き穴から排出した水は、本体ケースの内部に放出されたり、本体ケース横面の開口部から本体ケースの外部に放出されない。
【０００４】
しかしながら、ケーシング（本体ケース）の内部に導水リブを設けると、衛生洗浄装置の主機能の１つである局部乾燥機能や脱臭機能などを実行する機能部品をケーシングの内部に搭載できないおそれがある。
【特許文献１】特開平８−９３０３３号公報
【発明の開示】
【発明が解決しようとする課題】
【０００５】
本発明は、かかる課題の認識に基づいてなされたものであり、温水タンクに貯留した水の水抜きをケーシングの左右側面の少なくともいずれかから良好に行うことができる衛生洗浄装置を提供することを目的とする。
【課題を解決するための手段】
【０００６】
第１の発明は、下方部に水抜き孔を有し、ノズルに供給する洗浄水を貯留するタンクと、前記水抜き孔を塞ぐ水抜き栓と、前記タンクを内蔵し、左右側面の少なくともいずれかに前記水抜き栓を挿通するとともに前記水抜き孔から抜かれた水を外部に排出する開口部と、前記水抜き孔から抜かれた水を受け流し前記開口部に案内する流水ガイドと、を有するケーシングと、を備えたことを特徴とする衛生洗浄装置である。  
この衛生洗浄装置によれば、タンクの水抜き中に流量が次第に減少して水抜き孔からケーシング内に水が落下しようとしても、流水ガイドがその水を受け流し開口部まで案内するため、ケーシング内に水が溜まることはない。そのため、温水タンクに貯留した水の水抜きを良好に行うことができる。
【０００７】
また、第２の発明は、第１の発明において、前記流水ガイドが有する流路は、前記水抜き孔から前記開口部に向かうにつれて狭くされたことを特徴とする衛生洗浄装置である。  この衛生洗浄装置によれば、水抜き孔から抜かれた水の勢いが小さくとも、流速を速めて排出できるため、排出した水を受けるバケツなどの容器で確実にその水を回収できる。
【０００８】
また、第３の発明は、前記ケーシングは、前記タンクを取り付けたケースプレートと、前記ケースプレートを上側から覆うケースカバーと、を有し、前記ケースプレートおよび前記ケースカバーの左右側面の少なくともいずれかは、互いの傾斜角度が合致し下側に向かうにつれて外側に開くように形成され、前記ケースプレートの左右側面の前記少なくともいずれかに、前記開口部が設けられたことを特徴とする衛生洗浄装置である。  
この衛生洗浄装置によれば、開口部から排出される水はケースプレートの下側に回り込みにくくなり、且つケーシングの側面を伝う水はケースプレートの下側に回り込みにくくなる。そのため、水はケースプレートと便器との間の隙間に入り込みにくくなり、その隙間あるいはその周辺部の清潔性を向上させることができる。また、これにより、ケースプレートと便器との間の隙間から臭気が発生することを抑制できる。
【発明の効果】
【０００９】
本発明の態様によれば、温水タンクに貯留した水の水抜きをケーシングの左右側面の少なくともいずれかから良好に行うことができる衛生洗浄装置が提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を例示する斜視模式図である。  
また、図２は、本実施形態にかかる衛生洗浄装置の内部構造を表す斜視模式図である。
【００１１】
図１に表したトイレ装置は、洋式腰掛便器（以下、説明の便宜上、単に「便器」と称する）１００と、その上側に設けられた衛生洗浄装置２００と、を備える。なお、便器１００の洗浄機構としては、いわゆる「ロータンク式」でもよく、あるいはロータンクを用いない「水道直圧式」であってもよい。
【００１２】
衛生洗浄装置２００は、便座１５０を有する。便座１５０は、衛生洗浄装置２００の本体部に対して開閉自在に軸支されている。また、衛生洗浄装置２００は、図示しない便蓋を有していてもよく、その便蓋は、便座１５０と同様に、衛生洗浄装置２００の本体部に対して開閉自在に軸支されていてもよい。これら便座１５０および図示しない便蓋は、手動により開閉できるとともに、電動開閉機構により自動的に開閉可能としてもよい。
【００１３】
衛生洗浄装置２００は、図２に表したように、本実施形態におけるケーシング２２５としてのケースプレート２１０とケースカバー２２０とを備えている。つまり、ケーシング２２５は、ケースプレート２１０とケースカバー２２０とを有する。ケーシング２２５の右側面には、後に詳述するように、温水タンク２５０に貯留された水をケーシング２２５（ケースプレート２１０およびケースカバー２２０）の外部に排出する開口部が設けられている。そして、この開口部を塞ぐようにして、蓋体２３０がケースプレート２１０に取り付けられている。
【００１４】
衛生洗浄装置２００の内部、すなわちケースプレート２１０とケースカバー２２０との内部には、衛生洗浄装置としての機能部（機能部品）が設けられている。つまり、ケースプレート２１０には衛生洗浄装置としての機能部（機能部品）が適宜取り付けられ、その機能部（機能部品）およびケースプレート２１０を上側から覆うようにケースカバー２２０が設けられている。
【００１５】
衛生洗浄装置２００は、便座１５０に座った使用者の「おしり」などに向けて水を噴出する吐水ノズル２４０を有する洗浄機能部などを適宜備える。また、衛生洗浄装置２００は、洗浄水を温水タンク２５０に貯留して温める熱交換機能部を備える。温水タンク２５０に貯留され温められた洗浄水は、吐水ノズル２４０に適宜供給される。なお、本願明細書において「水」という場合には、冷水のみならず、加熱されたお湯も含むものとする。
【００１６】
さらに、衛生洗浄装置２００は、便器１００のボウル内の空気を吸い込み、フィルタや触媒などを介して臭気成分を低減させる脱臭機能部２７０を備える。またさらに、衛生洗浄装置２００は、便座１５０に座った使用者の「おしり」などに向けて温風を吹き付けて乾燥させる温風乾燥機能部や、トイレ室内に温風を吹き出してトイレ室を暖房する室内暖房機能部などを備える。これらの動作は、例えば、衛生洗浄装置２００とは別体として設けられた図示しないリモコンにより操作可能としてもよい。
【００１７】
図３は、本実施形態のケースプレートに取り付けられた蓋体の近傍を拡大して眺めた拡大模式図である。  
なお、図３（ａ）は、蓋体を取り外す前の状態を例示する模式図であり、図３（ｂ）は、蓋体を取り外した後の状態を例示する模式図である。
【００１８】
前述したように、ケースプレート２１０の右側面には、蓋体２３０が取り付けられている。蓋体２３０は、その下端部に凹部２３１を有する。使用者あるいは作業者は、略平状あるいは略先細状の工具などを凹部２３１に適宜挿入することにより、図３（ｂ）に表したように、蓋体２３０をケースプレート２１０から取り外すことができる。また、ケーシング２２５の右側面には、図１および図２に関して前述したように、温水タンク２５０に貯留された水をケーシング２２５の外部に排出する開口部２１１（図４参照）が設けられている。この開口部２１１は、ケースプレート２１０の切り欠き孔２１１ａと、ケースカバー２２０の切り欠き２２１ａ（図４参照）と、が組み合わされて形成されている。
【００１９】
温水タンク２５０の下方部には、図３（ｂ）に表したように、温水タンク２５０に貯留された水を抜く水抜き孔２５１が設けられている。そして、水抜きを行わない場合には、水抜き栓２５３が、ケーシング２２５の外部から開口部２１１に挿通されて、水抜き孔２５１に取り付けられている。この水抜き栓２５３は、水抜き孔２５１を塞ぐ機能を有している。そのため、水抜き栓２５３が水抜き孔２５１に取り付けられた状態では、温水タンク２５０に貯留された水は温水タンク２５０の外部に排出されない。
【００２０】
一方、使用者あるいは作業者は、蓋体２３０を取り外し、さらに水抜き栓２５３を取り外すことにより、温水タンク２５０に貯留された水を水抜きできる。つまり、蓋体２３０および水抜き栓２５３を取り外すことにより、温水タンク２５０に貯留された水は、水抜き孔２５１および開口部２１１を介してケーシング２２５の外部に排出される。
【００２１】
ここで、ケースプレート２１０には、水抜き孔２５１から抜かれた水を開口部２１１に案内する流水ガイド２１３が設けられている。流水ガイド２１３は、水抜き孔２５１から抜かれた水を受け流し開口部２１１に案内できるように水抜き孔２５１の下側に設けられているため、その水をケーシング２２５の外部に導くことができる。また、流水ガイド２１３は溝形状を有しているため、図３（ｂ）に表した矢印のように、水抜き孔２５１から抜かれた水を集水して、より確実にケーシング２２５の外部に排出できる。
【００２２】
水抜きする前の温水タンク２５０は、一般的に略満水状態となっている。そのため、水抜き孔２５１が温水タンク２５０の下方部に設けられていることもあって、水抜きを開始してしばらくの間は、水抜き孔２５１における水圧はより高く、水抜き孔２５１から抜かれる水はより勢いよく放出される。そして、温水タンク２５０内の残水が少なくなると、水抜き孔２５１における水圧はより低くなり、水抜き孔２５１から抜かれる水は水抜き孔２５１から落下するようになる。この場合であっても、流水ガイド２１３は、水抜き孔２５１から抜かれた水を受け流し開口部２１１に案内できるように水抜き孔２５１の下側に設けられているため、水抜き孔２５１から落下した水は流水ガイド２１３に導かれて、より確実にケーシング２２５の外部に排出される。
【００２３】
次に、本実施形態にかかる衛生洗浄装置の水抜き作用について、図面を参照しつつ、さらに詳細に説明する。  
図４は、本実施形態のケーシングに設けられた開口部の近傍を拡大して斜めから眺めた斜視模式図である。  
また、図５は、本実施形態のケーシングに設けられた開口部の近傍を拡大して正面から眺めた平面模式図である。
【００２４】
図３に関して前述したように、ケースプレート２１０には、水抜き孔２５１から抜かれた水を受け流し開口部２１１に案内する流水ガイド２１３が設けられている。すなわち、図４および図５に表したように、流水ガイド２１３の内側端部２１４は水抜き孔２５１の下側に配置され、流水ガイド２１３の外側端部２１５はケースプレート２１０の右側面あるいはその右側面よりも内側に後退した位置に配置されている。また、流水ガイド２１３の底部２１７は、内側端部２１４から外側端部２１５に向かうにつれて低くなるように傾斜している。そのため、水抜き孔２５１から抜かれた水は、この流水ガイド２１３に導かれてケーシング２２５の外部に排出される。
【００２５】
さらに、流水ガイド２１３の底部２１７の流路は、図４および図５に表したように、水抜き孔２５１に近い内側端部２１４よりも開口部２１１に近い外側端部２１５の方が狭い。具体的には、例えば、底部２１７の曲率は、内側端部２１４から外側端部２１５に向かうにつれて大きくなっている。そのため、水抜き孔２５１から抜かれた水は、図４および図５に表した矢印のように、流水ガイド２１３によって集水され、流速が速められた状態でケーシング２２５の外部に排出される。
【００２６】
したがって、温水タンク２５０内の残水が少なくなり、水抜き孔２５１における水圧が低下した場合であっても、水抜き孔２５１から抜かれた水は、より確実にケーシング２２５の外部に排出される。なお、ケーシング２２５の外部に排出された水は、容器などで回収される。
【００２７】
図６は、本実施形態のケースプレートに設けられた切り欠き孔の近傍の断面を表す断面模式図である。  
なお、図６は、図５に表したＡ−Ａ断面図に相当する。  
ケースプレート２１０は、前述したように、水抜き孔２５１から抜かれた水を受け流し開口部２１１に案内する流水ガイド２１３を有する。流水ガイド２１３の内側端部２１４は、水抜き孔２５１の下側であって水抜き孔２５１よりも内側に配置されている。一方、流水ガイド２１３の外側端部２１５は、図６に表したように、ケースプレート２１０の右側面あるいはその右側面よりも内側に後退した位置に配置されている。そして、流水ガイド２１３の底部２１７は、図６に表したように、内側端部２１４から外側端部２１５に向かうにつれて低くなるように傾斜しているため、水抜き孔２５１から抜かれた水をケーシング２２５の外部に導くことができる。
【００２８】
ここで、流水ガイド２１３の外側端部２１５は、便器１００の外形よりも外側に配置されている。すなわち、流水ガイド２１３の外側端部２１５は、便器１００よりも図６において右側に配置されている。そのため、図６に表した矢印のように、流水ガイド２１３に導かれてケーシング２２５の外部に排出された水は、便器１００に落下するおそれが少ない。
【００２９】
そのため、使用者あるいは作業者は、ケーシング２２５の開口部２１１近傍に容器などを配置することにより、便器１００に邪魔されることなく水抜き孔２５１から抜かれた略全ての水を回収できる。また、水抜き孔２５１から抜かれた水は便器１００に落下するおそれが少ないため、その水が便器１００や衛生洗浄装置２００の周辺に飛散するおそれも少ない。さらに、水抜き孔２５１から抜かれた水は便器１００に落下するおそれが少ないため、その水が便器１００とケースプレート２１０との間の隙間に入り込むおそれも少ない。
【００３０】
したがって、便器１００や衛生洗浄装置２００の周辺、および便器１００とケースプレート２１０との間の隙間の清潔性を確保することができる。このようにして、本実施形態にかかる衛生洗浄装置２００では、温水タンク２５０に貯留した水の水抜きをケーシング２２５（ケースプレート２１０およびケースカバー２２０）の右側面から良好に行うことができる。
【００３１】
これに対して、流水ガイド２１３がケースプレート２１０に設けられていない場合には、水抜き孔２５１から抜かれた水は衛生洗浄装置２００の下側に設置された便器１００に落下する。水抜き孔２５１から抜かれた水が便器１００に落下すると、全ての水を容器などで回収することができず、良好な水抜きを行うことが困難である。また、水抜き孔２５１から抜かれた水が便器１００に落下すると、その水が便器１００とケースプレート２１０との間の隙間に入り込むおそれがある。これによれば、便器１００とケースプレート２１０との間の隙間における清潔性が低下し、臭気が発生するおそれがある。
【００３２】
なお、本実施形態にかかる衛生洗浄装置２００では、温水タンク２５０がケーシング２２５の内部の右側部に配置され、開口部２１１がケーシング２２５の右側面に設けられた場合を例に挙げているが、これらの配置はこれだけに限定されない。すなわち、温水タンク２５０はケーシング２２５の内部の左側部に配置され、開口部２１１はケーシング２２５の左側面に設けられていてもよい。これによれば、温水タンク２５０に貯留した水の水抜きをケーシング２２５（ケースプレート２１０およびケースカバー２２０）の左側面から良好に行うことができる。
【００３３】
図７は、本実施形態の流水ガイドの断面を表す断面模式図である。  
なお、図７（ａ）は、図６に表したＢ−Ｂ断面図に相当し、図７（ｂ）は、図６に表したＣ−Ｃ断面図に相当し、図７（ｃ）は、図６に表したＤ−Ｄ断面図に相当する。
【００３４】
前述したように、流水ガイド２１３は溝形状を有し、その底部２１７は曲面状に形成されている。図７（ａ）に表したように、流水ガイド２１３の内側端部２１４近傍における底部２１７の曲率はより小さく、底部２１７の断面形状の略全体が曲線を有している。続いて、流水ガイド２１３の内側端部２１４と外側端部２１５との略中間部における底部２１７の曲率は、図７（ｂ）に表したように、図７（ａ）に表した底部２１７の曲率よりも大きい。そして、底部２１７の断面形状は、中央部に大きい曲率の曲線を有し、その中央部の両側に略直線部を有している。続いて、流水ガイド２１３の外側端部２１５近傍における底部２１７の曲率は、図７（ｃ）に表したように、図７（ａ）および図７（ｂ）に表した底部２１７の曲率よりもさらに大きい。そのため、底部２１７の断面形状は、中央部にさらに大きい曲率の曲線を有し、その中央部の両側により長い略直線部を有している。
【００３５】
これによれば、図４および図５に関して前述したように、水抜き孔２５１から抜かれた水は、流水ガイド２１３によって集水され、流速が速められた状態でケーシング２２５の外部に排出される。そのため、温水タンク２５０内の残水が少なくなり、水抜き孔２５１における水圧が低下した場合であっても、水抜き孔２５１から抜かれた水は、より確実にケーシング２２５の外部に排出される。したがって、本実施形態にかかる衛生洗浄装置２００では、温水タンク２５０に貯留した水の水抜きを良好に行うことができる。
【００３６】
なお、図７においては、底部２１７に曲面が形成された場合を例示したが、本発明はこれには限定されない。これ以外にも、例えば、底部２１７がＶ字状とされ、その開き角度が開口部２１１に向かって徐々に小さくなるようにしてもよい。あるいは、底部２１７は平面状とされ、その幅が開口部２１１に向かって徐々に狭くなるようにしてもよい。これらいずれの場合も、流水ガイド２１３の流路を開口部２１１に向かって狭くすることができる。
【００３７】
図８は、本実施形態のケーシングの断面を表す断面模式図である。  
また、図９は、比較例のケーシングの断面を表す断面模式図である。  
なお、図８および図９は、衛生洗浄装置を前方から眺めた場合におけるケーシングの右側面近傍を拡大した模式図である。
【００３８】
本実施形態にかかる衛生洗浄装置２００のケースプレート２１０とケースカバー２２０との右側面は、図８に表したように、互いの傾斜角度が略合致するように略同一面上に形成されている。そして、ケースプレート２１０とケースカバー２２０の右側面は、下側に向かうにつれて外側に開いた傾斜角度を有している。すなわち、ケースプレート２１０とケースカバー２２０の右側面は、上部よりも下部の方が図８において右側に配置されるように形成されている。
【００３９】
そのため、図８に表した矢印のように、例えばケースプレート２１０あるいはケースカバー２２０に付着してその右側面を伝う水３０１は、便器１００に落下するおそれが少ない。これによれば、水３０１が、便器１００とケースプレート２１０との間の隙間に入り込むおそれは少ない。したがって、図６に関して前述したように、便器１００とケースプレート２１０との間の隙間の清潔性を確保することができる。また、ケースプレート２１０とケースカバー２２０との右側面が略同一面に形成されているため、ケースプレート２１０とケースカバー２２０との境界部が目立ちにくい効果を得ることもできる。
【００４０】
これに対して、図９に表した比較例にかかる衛生洗浄装置のケースプレート２１０ａとケースカバー２２０ａとの右側面は、同一面上には形成されておらず、境界部において屈曲している。そして、ケースプレート２１０ａの右側面は、下側に向かうにつれて内側に閉じた傾斜角度を有している。すなわち、ケースプレート２１０ａの右側面は、上部よりも下部の方が図９において左側に配置されるように形成されている。なお、ケースカバー２２０ａは、図８に表したケースカバー２２０と同様である。
【００４１】
そのため、図９に表した矢印のように、例えばケースプレート２１０ａあるいはケースカバー２２０ａに付着してその右側面を伝う水３０１は、便器１００に落下するおそれがある。これによれば、水３０１が、便器１００とケースプレート２１０ａとの間の隙間に入り込むおそれがある。したがって、図６に関して前述したように、便器１００とケースプレート２１０ａとの間の隙間における清潔性が低下し、臭気が発生するおそれがある。また、ケースプレート２１０ａとケースカバー２２０ａとの右側面が略同一面に形成されていないため、ケースプレート２１０ａとケースカバー２２０ａとの境界部が目立ちやすい。
【００４２】
なお、図８に関しては、ケースプレート２１０とケースカバー２２０との右側面を例に挙げて説明したが、ケースプレート２１０とケースカバー２２０との左側面についても同様の形状を有する。すなわち、ケースプレート２１０とケースカバー２２０との左側面は、互いの傾斜角度が略合致するように略同一面上に形成されている。そして、ケースプレート２１０とケースカバー２２０の左側面は、下側に向かうにつれて外側に開いた傾斜角度を有している。そのため、ケースプレート２１０とケースカバー２２０との右側面における効果と同様の効果を得ることができる。
【００４３】
図１０は、本実施形態の水抜き栓および蓋体の取り付け構造を説明するための断面模式図である。  
また、図１１は、本実施形態の蓋体を表す斜視模式図である。  
本実施形態の水抜き栓２５３は、ケーシング２２５の外部から開口部２１１に挿通されて、水抜き孔２５１に螺合されている。なお、水抜き栓２５３の水抜き孔２５１への取り付け方法は螺合だけに限定されず、例えば圧入であってもよい。すなわち、水抜き栓２５３の水抜き孔２５１への取り付け方法は、水抜き孔２５１を塞ぎ、温水タンク２５０に貯留された水の漏水を防止できる方法であればよい。
【００４４】
一方、本実施形態の蓋体２３０は、ケースプレート２１０の切り欠き孔２１１ａに圧入されて取り付けられている。すなわち、蓋体２３０は、その周縁部２３５がケースプレート２１０の内壁２１９（図３参照）に摺動されるように圧入されて、ケースプレート２１０に嵌合されている。
【００４５】
また、蓋体２３０がケースプレート２１０に取り付けられた状態では、第１の当て部２３２が水抜き孔２５１の後端部２５５に当接され、第２の当て部２３３が流水ガイド２１３の外側端部２１５に当接されている。つまり、図１０に表した蓋体２３０の左右方向の位置は、第１の当て部２３２と水抜き孔２５１の後端部２５５との当接位置、および第２の当て部２３３と流水ガイド２１３の外側端部２１５との当接位置によって決まる。このようにして、蓋体２３０はケースプレート２１０に取り付けられ、開口部２１１を塞いでいる。
【００４６】
なお、前述したように、蓋体２３０は下端部に凹部２３１を有するため、略平状あるいは略先細状の工具などを凹部２３１に適宜挿入することにより、ケースプレート２１０に取り付けられた状態の蓋体２３０を取り外すことができる。
【００４７】
以上説明したように、本実施形態によれば、水抜き孔２５１から抜かれた水を受け流し開口部２１１に案内する流水ガイド２１３が設けられている。そのため、水抜き孔２５１から抜かれた水は、この流水ガイド２１３に導かれてケーシング２２５の外部に排出される。また、底部２１７の曲率は、内側端部２１４から外側端部２１５に向かうにつれて大きくなっている。そのため、水抜き孔２５１から抜かれた水は、流水ガイド２１３によって集水され、流速が速められた状態でケーシング２２５の外部に排出される。このようにして、本実施形態にかかる衛生洗浄装置２００では、温水タンク２５０に貯留した水の水抜きをケーシング２２５（ケースプレート２１０およびケースカバー２２０）の右側面から良好に行うことができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置２００などが備える各要素の形状、寸法、材質、配置などや温水タンク２５０の設置形態などは、例示したものに限定されるわけではなく適宜変更することができる。  
すなわち、前述したように、温水タンク２５０はケーシング２２５の内部の左側部に配置され、開口部２１１はケーシング２２５の左側面に設けられていてもよい。これによれば、温水タンク２５０に貯留した水の水抜きをケーシング２２５（ケースプレート２１０およびケースカバー２２０）の左側面から良好に行うことができる。また、流水ガイド２１３は、ケースプレート２１０ではなくケースカバー２２０に設けられていてもよい。すなわち、例えば、ケースプレート２１０には切り欠きが設けられ、ケースカバー２２０には切り欠き孔が設けられ、そのケースカバー２２０に流水ガイド２１３が設けられていてもよい。この場合であっても、水抜き孔２５１から抜かれた水は、流水ガイド２１３に導かれて開口部２１１を介してケーシング２２５の外部に排出される。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４９】
【図１】本発明の実施の形態にかかる衛生洗浄装置を備えたトイレ装置を例示する斜視模式図である。
【図２】本実施形態にかかる衛生洗浄装置の内部構造を表す斜視模式図である。
【図３】本実施形態のケースプレートに取り付けられた蓋体の近傍を拡大して眺めた拡大模式図である。
【図４】本実施形態のケーシングに設けられた開口部の近傍を拡大して斜めから眺めた斜視模式図である。
【図５】本実施形態のケーシングに設けられた開口部の近傍を拡大して正面から眺めた平面模式図である。
【図６】本実施形態のケースプレートに設けられた切り欠き孔の近傍の断面を表す断面模式図である。
【図７】本実施形態の流水ガイドの断面を表す断面模式図である。
【図８】本実施形態のケーシングの断面を表す断面模式図である。
【図９】比較例のケーシングの断面を表す断面模式図である。
【図１０】本実施形態の水抜き栓および蓋体の取り付け構造を説明するための断面模式図である。
【図１１】本実施形態の蓋体を表す斜視模式図である。
【符号の説明】
【００５０】
１００ 便器、  １５０ 便座、  ２００ 衛生洗浄装置、  ２１０、２１０ａ ケースプレート、  ２１１ 開口部、  ２１１ａ 切り欠き孔、  ２１３ 流水ガイド、  ２１４ 内側端部、  ２１５ 外側端部、  ２１７ 底部、  ２１９ 内壁、  ２２０、２２０ａ ケースカバー、  ２２１ａ 切り欠き、  ２２５ ケーシング、  ２３０ 蓋体、  ２３１ 凹部、  ２３２ 第１の当て部、  ２３３ 第２の当て部、  ２３５ 周縁部、  ２４０ 吐水ノズル、  ２５０ 温水タンク、  ２５１ 水抜き孔、  ２５３ 水抜き栓、  ２５５ 後端部、  ２７０ 脱臭機能部、  ３０１ 水
【図１】
2010077596.tif 000003
【図２】
2010077596.tif 000004
【図３】
2010077596.tif 000005
【図４】
2010077596.tif 000006
【図５】
2010077596.tif 000007
【図６】
2010077596.tif 000008
【図７】
2010077596.tif 000009
【図８】
2010077596.tif 000010
【図９】
2010077596.tif 000011
【図１０】
2010077596.tif 000012
【図１１】
2010077596.tif 000013